(57)【要約】【課題】鎌に慣れていない者でも、身体に装着したままでホルダー内に鎌をスムースかつ安全に出し入れできる鎌収納ホルダーを提供する。【解決手段】縦長の収納口１２が形成された柄収納部１１と、柄収納部１１の一端部に連設され、刃先の出入口を開口させた鞘状の刃収納部１３と、収納口１２の少なくとも一部を塞いで、収納された鎌２の脱落を防止する脱落防止保持手段１４と、柄収納部１１の適所に設けられた取付部材１５とを備えた基本構造をなしている。【選択図】図１
2012075419.tif 000002
【特許請求の範囲】
【請求項１】
縦長の収納口が形成された柄収納部の一端部に、刃の出入口を開口させた刃収納部を連設し、前記収納口には、少なくともその一部を塞いで、収納された鎌の脱落を防止する脱落防止保持手段を設けるとともに、前記柄収納部の適所に取付部材を設けた構造とした鎌収納ホルダー。
【請求項２】
請求項１において、
前記刃収納部は、前記柄収納部に対して縦方向に傾動調節可能になっている鎌収納ホルダー。
【請求項３】
請求項１または２において、
前記刃収納部の先端にはごみ排出口が形成されている鎌収納ホルダー。
【発明の詳細な説明】
【技術分野】
【０００１】
本発明は、草刈鎌や芝刈鎌などを身体に装着して持ち運ぶための鎌収納ホルダーの改良に関する。
【背景技術】
【０００２】
草刈鎌や芝刈鎌などは野良作業などで広く使われているが、その独特な形状のために、従来身体に装着して移動するのは困難であった。刃が剥き出しのまま鎌の柄を腰ベルトの後ろ側に差して移動する熟練者もいるが、そのような状態で転倒などすれば大怪我する可能性もある。このような事情に対処した従来技術の例として、たとえば特許文献１には、Ｌ型の袋の上部を開き、腰の後ろに取り付ける為の紐を設けた鎌の収納袋が提案されている。
【先行技術文献】
【特許文献】
【０００３】
【特許文献１】特開2003-125624号公報
【発明の概要】
【発明が解決しようとする課題】
【０００４】
しかしながら、特許文献１が提案しているような鎌の収納袋では、その図２に示されているような状態の収納袋から鎌を取り出そうとすると、鎌の刃によって背中を傷つけてしまうこともある。先に収納袋を背中から外して鎌を取り出せば安全であるが、手間がかかり面倒である。
【０００５】
そこで本発明は、鎌に慣れていない者でも、鎌収納ホルダーを身体に装着したままで、スムースかつ安全に鎌を出し入れできる構造とした鎌収納ホルダーを提供することを目的とする。
【課題を解決するための手段】
【０００６】
本発明による鎌収納ホルダーは、収納口が長手方向に沿って形成された柄収納部と、前記柄収納部の一端部に連設され、刃の出入口を開口させた刃収納部と、前記収納口の少なくとも一部を塞いで、収納された鎌の脱落を防止する脱落防止保持手段と、前記柄収納部の適所に設けられた取付部材とを備えた基本構造をなしている。
【０００７】
前記刃収納部は、収容すべき鎌の刃先の角度に応じて、前記柄収納部に対して縦方向に傾動調節可能にするとよい。
【０００８】
また前記刃収納部の先端には、ごみ排出口が形成されていてもよい。
【０００９】
前記脱落防止保持手段は、収納した鎌が脱落しないような構造であればよく、スナップファスナーやスライドファスナー、カバー体で構成してもよい。
【発明の効果】
【００１０】
本発明による鎌収納ホルダーは、刃収納部が後方を向くようにして刃と柄のほぼ全体をホルダー内に収容した状態で腰ベルトなどに吊下げできるので、鎌の出し入れが容易になるだけでなく、装着者が万一転倒したときでも、鎌の刃によって負傷することがないため極めて安全である。
【００１１】
刃収納部は柄収納部に対して縦方向に傾動調節可能な構成では、１つの鎌収納ホルダーで、草刈鎌や芝刈鎌だけでなく、鋸鎌など刃先の角度が異なる鎌にも対応できる。
【００１２】
刃収納部の先端部にごみ排出口が形成されている構成では、清掃時などにそこから切りくずや砂などが排出でき、内部を清潔に保持できる。
【図面の簡単な説明】
【００１３】
【図１】は刃収納部を上にした実施例の全体的な斜視図である。
【図２】は部分的な側面図である。
【図３】（ａ）、（ｂ）はそれぞれ実施例を上、下から見た平面図である。
【図４】（ａ）、（ｂ）はそれぞれ実施例の部分的な正面図と背面図である。
【図５】は実施例の使用要領を示す説明面である。
【図６】は変形例の側面図である。
【図７】は別の実施例の使用要領を示す説明面である。
【発明を実施するための形態】
【００１４】
本発明は、たとえば草刈鎌や芝刈鎌などの刃鎌を収容し、身体に装着して持ち運ぶための携帯用鎌ホルダーに好適である。
【００１５】
図１〜図４（ａ）、（ｂ）に示しているように、鎌収納ホルダー１は基本的な構成要素として、縦長の収納口１２が背面に形成された柄収納部１１と、柄収納部１１の上端部から前方に向けて連接された刃収納部１３と、収納口１２の少なくとも一部を閉鎖する脱落防止保持手段１４と、柄収納部１１の下端部に設けられた取付部材１５とを備えている。
【００１６】
柄収納部１１は、円筒あるいは楕円筒の横断面を有するが、背面にはほぼ全長にわたって縦長の収納口１２が形成されている。収納口１２の幅は、鎌２の柄２１よりもやや狭くして、柄収納部１１が自身で柄２１を保持できるようにするとよい。柄収納部１１の上端部の前方側には刃収納部１３に連結するための１対の舌部１１ａが設けられ、その直下の首部分にはベルトで構成した脱落防止保持手段１４が設けられている。さらに下端部には腰ベルトあるいは肩紐などを挿通させて吊下げるための取付部材１５が設けられている。
【００１７】
刃収納部１３は、刃２２の形状に合わせてわずかに反りが入った鞘状に形成され、根元には、柄収納部１１に設けられた舌部１１ａに対応した１対の舌部１３ａが設けられている。両者の舌部１１ａ、１３ａはたとえばハトメ１６によって傾動調節可能に連結されている。このハトメ１６のかしめ具合により摩擦力を作用させて、刃収納部１３がみだりに傾動しないような固さに調節できる。このように刃収納部１３と柄収納部１１との角度を可変とすることで、１つの鎌収納ホルダー１だけで、柄２１と刃先２２との間が鋭角ないし直角な草刈鎌や芝刈鎌だけでなく、鈍角になっている鋸鎌にまで対応できる。また、刃収納部１３の先端にごみ排出口１８を設けておけば、そこから切りくずや付着した砂などが排出されるので内部が清潔に保たれる。
【００１８】
柄収納部１１や刃収納部１３は、ナイフなどのホルダーと同様に、適度な厚みと硬度を有する皮革などで形成すればよい。そうすれば美観にも耐久性にも優れた鎌収納ホルダー１となる。しかしより低コストにするには、皮革と同等な厚み、硬度を有するたとえばウレタンあるいはＡＢＳ樹脂などで形成してもよい。
【００１９】
脱落防止保持１４はスナップファスナーを用いて構成され、柄収納部１１の背面側から見て、収納口１２の右側から延びた帯体先端部には雌ホック１７aを固定し、更に収納口１２の左辺側には対応した雄ホック１７ｂを固定して、いわゆるホック留めが可能になっている。鎌２を鎌収納ホルダー１に収納した状態では、柄２２の首が柄収納部１１と脱落防止保持手段１４によって前後に規制されるとともに、刃２２が刃収納部１３によって上下に規制されるため、鎌収納ホルダー１から鎌２が脱落しない。なお脱落防止保持手段１４は、複数のベルトにしてもよく、あるいは収納口１２を長手方向に閉鎖するスライドファスナーを設けてもよいし、収納口１２の一部や全体を覆うカバー体などを着脱可能に設けてもよい。
【００２０】
また柄収納部１１の下端には取付部材１５が設けられ、鎌収納ホルダー１を腰ベルトなどに吊下げできる。取付部材１５は、この例では腰ベルトを通す貫通部を有したものとしているが、簡単なフックで構成してもよい。また、肩に掛けられるように掛け紐に取付ける部材であってもよい。
【００２１】
ついで鎌収納ホルダー１の使用方法を説明する。
【００２２】
鎌収納ホルダー１は、図５に示すように、刃収納部が下になるようにして、右利きの者では右脇に吊下げて装着する。このとき、鎌２の刃２２が後方にくるように装着すれば、鎌２の出し入れが容易となるだけでなく、装着者が万一転倒したときでも、鎌２の刃２２によって負傷することがないため極めて安全である。
【００２３】
鎌２の出し入れは、鎌収納ホルダー１を腰ベルトに吊下げられたままで容易に行える。すなわち図のように左手によって柄収納部１１を保持し、右手によって柄２１を普通の握り方で掴んだままで、鎌２を出し入れできる。
【００２４】
図６に示した変形例は、柄収納部１１と刃収納部１３との結合部分を蛇腹１８によって形成している。強度を確保するために蛇腹の背部分には塑性変形する金属板などを組み込んでおくとよい。あるいはその金属板として弾性変形する板バネを用いてもよい。その場合は、柄収納部１１と刃収納部１３との間が鈍角な状態に自然復帰するように調節しておくとよい。そうすれば、鎌２の収納時には、刃収納部１３が常に刃２２に沿うことになるのでより安全である。
【００２５】
なお、刃収納部１３と柄収納部１１とを上下逆にし、鎌２の刃２２が後方を向くような格好で、ベルトや肩掛け紐３に取付けるような構造にしてもよい。図７は、そのような態様の使用例を示しており、右利きの者は、左側に鎌収納ホルダー１を保持して使用すればよい。この場合、取付部材１５を柄収容部１１の首部に設け、刃収納部１３の峰側に切込み口１９を設けておけば、刃先部位の挿入が容易にできる。
【符号の説明】
【００２６】
１    鎌収納ホルダー
２    鎌
１１    柄収納部
１２    収納口
１３    刃収納部
１８    ごみ排出口
１４    脱落防止保持手段
１５    取付部材
【図１】
2012075419.tif 000003
【図２】
2012075419.tif 000004
【図３】
2012075419.tif 000005
【図４】
2012075419.tif 000006
【図５】
2012075419.tif 000007
【図６】
2012075419.tif 000008
【図７】
2012075419.tif 000009
【手続補正書】
【提出日】平成22年12月16日(2010.12.16)
【手続補正１】
【補正対象書類名】明細書
【補正対象項目名】００１６
【補正方法】変更
【補正の内容】
【００１６】
柄収納部１１は、円筒あるいは楕円筒の横断面を有するが、柄２１のほぼ全体を収納するため背面にはほぼ全長にわたって縦長の収納口１２が形成されている。収納口１２の幅は、鎌２の柄２１よりもやや狭くして、柄収納部１１が自身で柄２１を保持できるようにするとよい。柄収納部１１の上端部の前方側には刃収納部１３に連結するための１対の舌部１１ａが設けられ、その直下の首部分にはベルトで構成した脱落防止保持手段１４が設けられている。さらに下端部には腰ベルトあるいは肩紐などを挿通させて吊下げるための取付部材１５が設けられている。
【手続補正２】
【補正対象書類名】明細書
【補正対象項目名】００１７
【補正方法】変更
【補正の内容】
【００１７】
刃収納部１３は、収納口１３ｂを有し、刃２２の形状に合わせてわずかに反りが入った鞘状に形成され、根元には、柄収納部１１に設けられた舌部１１ａに対応した１対の舌部１３ａが設けられている。両者の舌部１１ａ、１３ａはたとえばハトメ１６によって傾動調節可能に連結されている。このハトメ１６のかしめ具合により摩擦力を作用させて、刃収納部１３がみだりに傾動しないような固さに調節できる。このように刃収納部１３と柄収納部１１との角度を可変とすることで、１つの鎌収納ホルダー１だけで、柄２１と刃先２２との間が鋭角ないし直角な草刈鎌や芝刈鎌だけでなく、鈍角になっている鋸鎌にまで対応できる。また、刃収納部１３の先端にごみ排出口１８を設けておけば、そこから切りくずや付着した砂などが排出されるので内部が清潔に保たれる。
【手続補正３】
【補正対象書類名】明細書
【補正対象項目名】００２２
【補正方法】変更
【補正の内容】
【００２２】
鎌収納ホルダー１は、図５に示すように、刃収納部が下になるようにして、右利きの者では右脇に吊下げて装着する。このとき、鎌２の刃２２が後方にくるようにして、刃２２を収納口１３ｂより刃収納部１３に挿入すれば、柄２１は、その全長が柄収納部１１の収納口１２よりスッポリと入り込み、鎌２の出し入れが容易となるだけでなく、装着者が万一転倒したときでも、鎌２の刃２２によって負傷することがないため極めて安全である。
【手続補正４】
【補正対象書類名】図面
【補正対象項目名】図１
【補正方法】変更
【補正の内容】
【図１】
2012075419.tif 000010
【手続補正５】
【補正対象書類名】図面
【補正対象項目名】図２
【補正方法】変更
【補正の内容】
【図２】
2012075419.tif 000011
【手続補正６】
【補正対象書類名】図面
【補正対象項目名】図５
【補正方法】変更
【補正の内容】
【図５】
2012075419.tif 000012
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
柄のほぼ全体を収容するために縦長の収納口が背面のほぼ全長にわたって形成された柄収納部の一端部に、刃の出入口を開口させた刃先収納部を連設し、
前記収納口には、少なくともその一部を塞いで、収納された鎌の脱落を防止する脱落防止手段を設けるとともに、前記柄収納部の下端には吊下げ用の取付部材を設けた構造となし、鎌の刃が後方を向くように刃収納部を下方にし、かつ前記取付部材を上方に向けて、前記取付部材を腰のベルトに吊下げて使用する構造とした鎌収納ホルダー。
【請求項２】
請求項１において、
前記刃収納部は、前記柄収納部に対して縦方向に傾動調節可能になっている鎌収納ホルダー。
【請求項３】
請求項１または２において、
前記刃収納部の先端にはごみ排出口が形成されている鎌収納ホルダー。
【手続補正２】
【補正対象書類名】明細書
【補正対象項目名】０００６
【補正方法】変更
【補正の内容】
【０００６】
本発明による鎌収納ホルダーは、柄のほぼ全体を収容するために縦長の収納口が背面のほぼ全長にわたって形成された柄収納部の一端部に、刃の出入口を開口させた刃先収納部を連設し、前記収納口には、少なくともその一部を塞いで、収納された鎌の脱落を防止する脱落防止手段を設けるとともに、前記柄収納部の下端には吊下げ用の取付部材を設けた構造となし、鎌の刃が後方を向くように刃収納部を下方にし、かつ前記取付部材を上方に向けて、前記取付部材を腰のベルトに吊下げて使用する基本構造をなしている。
【手続補正３】
【補正対象書類名】明細書
【補正対象項目名】００１０
【補正方法】変更
【補正の内容】
【００１０】
本発明による鎌収納ホルダーは、鎌の刃が後方を向くように刃収納部を下方に、かつ取付部材を上方に向けて、刃と柄のほぼ全体をホルダー内に収容した状態で腰ベルトなどに吊下げることができるので、鎌の出し入れが容易になるだけでなく、装着者が万一転倒したときでも、鎌の刃によって負傷することがないため極めて安全である。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
柄のほぼ全体を収容するために縦長の収納口が背面のほぼ全長にわたって形成された柄収納部の一端部に、刃の出入口を開口させた刃収納部を連設し、
前記収納口には、少なくともその一部を塞いで、収納された鎌の脱落を防止する脱落防止手段を設けるとともに、前記柄収納部の他端部には吊り下げ用の取付部材を設けた構造となし、鎌の刃が後方を向くように刃収納部を下方にし、かつ前記取付部材を上方に向けて、前記取付部材を腰のベルトに吊り下げて使用する構造とした鎌収納ホルダー。
【請求項２】
請求項１に記載の鎌収納ホルダーにおいて、
前記刃収納部は、前記柄収納部に対して縦方向に傾動調節可能になっている鎌収納ホルダー。
【請求項３】
請求項１または２に記載の鎌収納ホルダーにおいて、
前記刃収納部の先端にはごみ排出口が形成されている鎌収納ホルダー。
【手続補正２】
【補正対象書類名】明細書
【補正対象項目名】０００６
【補正方法】変更
【補正の内容】
【０００６】
本発明による鎌収納ホルダーは、柄のほぼ全体を収容するために縦長の収納口が背面のほぼ全長にわたって形成された柄収納部の一端部に、刃の出入口を開口させた刃収納部を連設し、前記収納口には、少なくともその一部を塞いで、収納された鎌の脱落を防止する脱落防止手段を設けるとともに、前記柄収納部の他端部には吊り下げ用の取付部材を設けた構造となし、鎌の刃が後方を向くように刃収納部を下方にし、かつ前記取付部材を上方に向けて、前記取付部材を腰のベルトに吊り下げて使用する基本構造をなしている。
【手続補正３】
【補正対象書類名】明細書
【補正対象項目名】００２２
【補正方法】変更
【補正の内容】
【００２２】
鎌収納ホルダー１は、図５に示すように、刃収納部１３が下になるようにして、右利きの者では右脇に吊下げて装着する。このとき、鎌２の刃２２が後方にくるようにして、刃２２を収納口１３ｂより刃収納部１３に挿入すれば、柄２１は、その全長が柄収納部１１の収納口１２よりスッポリと入り込み、鎌２の出し入れが容易となるだけでなく、装着者が万一転倒したときでも、鎌２の刃２２によって負傷することがないため極めて安全である。